(57)【特許請求の範囲】
【請求項１】
ステムを固定する内部通路を有し当該ステムを上下動させることで内容物が圧送されるヘッド本体と、このヘッド本体からの内容物を噴射させる開孔が設けられた仕切壁を有し当該仕切壁に繋がる周壁によってヘッド本体の側面に固定されるノズルチップとを備え、
ヘッド本体に、当該ヘッド本体の側面に開口部を形作り連通孔を介して前記内部通路に通じる凹部を設け、
この凹部の内側にノズルチップを嵌合させる一方、
このノズルチップの内側に中間部材を嵌合させ、
この中間部材は、ノズルチップの仕切壁に合さって当該仕切壁との間に前記開孔に通じる複数の流路を形成する隔壁を有し、当該隔壁に繋がる周壁によって、当該ノズルチップの周壁内側に嵌合保持されると共に、
前記凹部にノズルチップを嵌合させることで、中間部材との間に前記内部通路に通じる空間を形成するものであって、
更に、当該中間部材の周壁には、当該中間部材の隔壁とノズルチップの仕切壁との間に形成された流路のそれぞれに連通する複数の条溝が形成されていると共に、当該条溝を前記空間に通じさせる貫通孔が形成されていることを特徴とする噴射ヘッド。
【請求項２】
請求項１において、前記凹部と前記内部通路との間の連通孔を、上方に配置したことを特徴とする噴出ヘッド。
【請求項３】
請求項１又は２において、ノズルチップの仕切壁と中間部材の隔壁との間の流路のうち、２つの流路を一対に構成し、当該流路を、開孔を挟んで対向する位置に配置したことを特徴とする噴出ヘッド。
【請求項４】
請求項１乃至３のいずれか１項において、ノズルチップの仕切壁と中間部材の隔壁との間の流路を当該中間部材の隔壁に形成した条溝で形作ったことを特徴とする噴出ヘッド。
【発明の詳細な説明】
【技術分野】
【０００１】
本発明は、ステムを固定する内部通路を有し当該ステムを上下動させることで、ステムからの内容物を外界に噴射させる噴出ヘッドに関するものである。
【背景技術】
【０００２】
従来の噴出ヘッドとしては、例えば、容器内に配置されたポンプを駆動させるヘッド本体にノズルチップを固定し、このノズルチップに設けられた開孔を通して内容物を噴射させるものが既知である（例えば、特許文献１参照）。
【先行技術文献】
【特許文献】
【０００３】
【特許文献１】特開２０００−２１８１９８号公報
【発明の概要】
【発明が解決しようとする課題】
【０００４】
こうした従来の噴出ヘッドは、ヘッド本体に設けられた突出部に条溝を形成し、この突出部外周にノズルチップの周壁内側を嵌合させることで、開孔に通じる流路を形成しているが、例えば、内容物を噴霧するときに、条溝と流路の位置によっては、霧の状態や噴霧角度等によって規定される噴射パターンが安定しないことがあった。
【０００５】
本発明の目的とするところは、噴射パターンの安定した噴射ヘッドを提供することにある。
【課題を解決するための手段】
【０００６】
本発明の噴射ヘッドは、ステムを固定する内部通路を有し当該ステムを上下動させることで内容物が圧送されるヘッド本体と、このヘッド本体からの内容物を噴射させる開孔が設けられた仕切壁を有し当該仕切壁に繋がる周壁によってヘッド本体の側面に固定されるノズルチップとを備え、
ヘッド本体に、当該ヘッド本体の側面に開口部を形作り連通孔を介して前記内部通路に通じる凹部を設け、
この凹部の内側にノズルチップを嵌合させる一方、
このノズルチップの内側に中間部材を嵌合させ、
この中間部材は、ノズルチップの仕切壁に合さって当該仕切壁との間に前記開孔に通じる複数の流路を形成する隔壁を有し、当該隔壁に繋がる周壁によって、当該ノズルチップの周壁内側に嵌合保持されると共に、
前記凹部にノズルチップを嵌合させることで、中間部材との間に前記内部通路に通じる空間を形成するものであって、
更に、当該中間部材の周壁には、当該中間部材の隔壁とノズルチップの仕切壁との間に形成された流路のそれぞれに連通する複数の条溝が形成されていると共に、当該条溝を前記空間に通じさせる連通孔が形成されていることを特徴とするものである。
【０００７】
本発明によれば、前記凹部と前記内部通路との間の連通孔を、上方に配置することができる。
【０００８】
本発明によれば、ノズルチップの仕切壁と中間部材の隔壁との間の流路のうち、２つの流路を一対に構成し、当該流路を、開孔を挟んで対向する位置に配置することができる。
【０００９】
また、本発明によれば、ノズルチップの仕切壁と中間部材の隔壁との間の流路を、この中間部材の隔壁に形成した条溝で形作ることができる。
【発明の効果】
【００１０】
本発明によれば、ヘッド本体に圧送された内容物は、このヘッド本体に設けられた凹部にノズルチップを嵌合させることで、中間部材との間に形成された空間に充填された後、中間部材の周壁に形成された貫通孔から当該周壁に形成された複数の条溝を経て、中間部材の隔壁とノズルチップの仕切壁との間に形成された複数の流路のそれぞれに通じ、結果、ノズルチップの開孔に至る。
【００１１】
かかる構成によれば、ノズルチップの開孔に通じる複数の流路それぞれに、中間部材の周壁に形成したそれぞれの条溝を一致させることができる。即ち、本発明によれば、ノズルチップの開孔に通じる複数の流路のそれぞれに内容物を均一に流すことができることから、噴射パターンを安定させることができる。
【００１２】
また、ヘッド本体に設けられた凹部と内部通路との間の連通孔を、上方に配置すれば、噴霧する初期段階で空気を効率よく外界に排出（押し出す）することができ、その後の噴射パターンの安定化に更に有効である。
【００１３】
また、本発明によれば、ノズルチップの仕切壁と中間部材の隔壁との間の流路を、この中間部材の隔壁に形成した条溝で形作ることができるので、ノズルチップをヘッド本体２にセットする際、位置合わせを行う必要がなくなるため有効である。
【図面の簡単な説明】
【００１４】
【図１】本発明の一形態である噴霧ノズルを備えた容器用ポンプユニットを一部断面で示す側面図である。
【図２】同形態に係る噴霧ノズルを示す拡大断面図である。
【図３】(a),(b)はそれぞれ、同形態に係るノズルチップの正面図及び、ヘッド本体に設けられた嵌合凹部の正面図である。
【図４】同形態に係る中間部材の斜視図である。
【図５】(a)〜(c)はそれぞれ、同形態に係る中間部材の正面図、当該中間部材の他の形態の正面図及び、当該中間部材の更に他の形態の正面図である。
【発明を実施するための形態】
【００１５】
以下、図面を参照して、本発明の様々な形態を詳細に説明する。
【００１６】
図１は、本発明の一形態である噴霧ヘッドを備える容器用ポンプユニットを示す。
【００１７】
図中１は、本発明の一形態である噴霧ヘッドである。２は、容器内に配置されるポンプＰを駆動させるステムＳを固定するヘッド本体である。ヘッド本体２は、内部通路２ｐを有し、この内部通路２ｐにステムＳが固定される。これにより、ヘッド本体２は、ステムＳの内部通路Ｓpを通してポンプユニットＵに通じ、ステムＳを上下動させることで容器からの内容物が圧送される。
【００１８】
ポンプＵは、既存のプランジャポンプであって、吸引チューブＵ1からの内容物がシリンダＵ2内で吸引、加圧及び圧送される。ポンプＵは、装着筒Ｕ3によって、図示せぬ容器の口部に螺着される。なお、ＯXは、後述するノズルチップ３の開孔Ａ3の中心軸線、ＯYは、ポンプ中心軸線である。
【００１９】
また、ヘッド本体２には、その側面に開口部を有し、内部通路２ｐに向かって延在する凹部２ｎが形成されている。この凹部２ｎは、内部通路２ｐとの間を仕切壁２ａによって仕切られていると共に、この仕切壁２ａに形成された連通孔（以下、「流入孔」）Ａ1によって、内部通路２ｐに通じる。流入孔Ａ1は、仕切壁２ａに対して任意の位置に配置することができるが、本形態では、図２に示すように、仕切壁２ａの上方に配置されている。
【００２０】
なお、仕切壁２ａには、軸線ＯX周りに間隔を空けて複数の隆起部２ｂが一体に設けられている。また、仕切壁２ａには、隆起部２ｂに取り囲まれた突起部２ｃが一体に設けられている。
【００２１】
ノズルチップ３は、開孔Ａ3が設けられた仕切壁３ａを有し、この仕切壁３ａに繋がる周壁３ｂによって、その内側に凹部が形作られている。ノズルチップ３は、その周壁３ｂを凹部２ｎに嵌合させることで、ヘッド本体２の側面に固定される。
【００２２】
詳細には、ノズルチップ３は、その周壁３ｂを凹部２ｎの内周面２ｎ1に嵌合させることで、ヘッド本体２に固定されると共に、このヘッド本体２に形成された開口部がノズルチップ３の仕切壁３ａによって閉じられている。これにより、ノズルチップ３は、開孔Ａ3を通して、ヘッド本体２を通して圧送された内容物を外界に噴射させることができる。
【００２３】
４は、ノズルチップ３の内側に嵌合保持される中間部材である。中間部材４は、図２に示すように、ノズルチップ３の仕切壁３ａ内側に合さる隔壁４ａを有し、この隔壁４ａに繋がる周壁４ｂによって、その内側に凹部４ｎが形作られている。
【００２４】
中間部材４は、その周壁４ｂによって、同図に示すように、ノズルチップ３の周壁３ｂ内側に嵌合保持される。これにより、中間部材４の凹部４ｎは、ヘッド２に設けられた凹部２ｎにノズルチップ３を嵌合させることで、凹部２ｎとの間に、流入孔Ａ1を経て内部通路２ｐに通じる空間Ｃを形成する。
【００２５】
ここで、ノズルチップ３の仕切壁３ａと中間部材４の隔壁４ａとの間には、図２に示すように、ノズルチップ３の開孔Ａ3に通じる２つの流路Ｐ2が形成されている。２つの流路Ｐ2はそれぞれ、合流部Ｐ3を経て開孔Ａ3に通じるスピン流路を構成する。
【００２６】
流路Ｐ2（以下、「スピン流路Ｐ2」）はそれぞれ、図４に示すように、中間部材４の隔壁４ａに形成された条溝（以下、「スピン溝」）４ｇ2で形作られている。同様に、合流路Ｐ3は、図４に示すように、隔壁４ａに形成された凹部４ｇ3で形作られている。スピン溝４ｇ2は、図５(a)に示すように、軸線ＯX周りを凹部４ｇ3に向かって先細りするように傾斜してなる。
【００２７】
また、ノズルチップ３の周壁３ｂと中間部材４の周壁４ｂとの間には、図２に示すように、２つのスピン流路Ｐ2それぞれに連通する、２つの流路（以下、「流入路」）Ｐ1が形成されている。加えて、ノズルチップ３と中間部材４との間には、同図に示すように、環状流路Ｐ４が形成されている。環状流路Ｐ4は、２つの流入路Ｐ1及びスピン流路Ｐ2をそれぞれ一体に連通させる流路としてなる。
【００２８】
２つの流入路Ｐ1はそれぞれ、図４に示すように、中間部材４の周壁４ｂに形成された２つの条溝４ｇ1で形作られている。２つの条溝４ｇ1はそれぞれ、同図に示すように、隔壁４ａに形成されたスピン溝４ｇ2に繋がる。これにより、開孔Ａ3に通じるスピン流路Ｐ2はそれぞれ、上述のとおり、２つの流入路Ｐ1それぞれと連通する。
【００２９】
加えて、環状流路Ｐ4は、図４に示すように、中間部材４の隔壁４ａに形成された環状溝４ｇ4で形作られている。環状溝４ｇ4は、２つの条溝４ｇ1を連通させる。これにより、流入路Ｐ1及びスピン流路Ｐ2はそれぞれ、上述のとおり、環状流路Ｐ4を通して一体に連通する。
【００３０】
更に、中間部材４の周壁４ｂには、その内側に形成された空間Ｃに通じさせる２つの貫通孔Ａ2が形成されている。２つの貫通孔Ａ2はそれぞれ、２つの条溝４ｇ1それぞれと連通する。
【００３１】
本発明によれば、ヘッド本体２に圧送された内容物は、凹部２ｎにノズルチップ３を嵌合させることで、中間部材４との間に形成された空間Ｃに充填された後、中間部材４の周壁４ｂに形成された貫通孔Ａ2から当該周壁４ｂに形成された複数の条溝４ｇ1を経て、ノズルチップ３の仕切壁３ａと中間部材４の隔壁４ａとの間に形成された複数のスピン流路Ｐ2のそれぞれに通じ、結果、ノズルチップ３の開孔Ａ3に至る。
【００３２】
かかる構成によれば、ノズルチップ３の開孔Ａ3に通じる複数のスピン流路Ｐ2それぞれに、中間部材４の周壁４ｂに形成したそれぞれの条溝４ｇ1を一致させることができる。即ち、本形態によれば、ノズルチップ３の開孔Ａ3に通じる複数のスピン流路Ｐ2のそれぞれに内容物を均一に流すことができることから、噴射パターンを安定させることができる。
【００３３】
また、ヘッド本体２に設けられた凹部２ｎと内部通路２ｐとの間に形成された流入孔Ａ1を、この凹部２ｎの底部を形作る仕切壁２ａの上方に配置すれば、噴霧する初期段階で内部通路２ｐ内の空気を効率よく外界に排出する（押し出す）ことができ、その後の噴射パターンの安定化に更に有効である。
【００３４】
また、本形態によれば、ノズルチップ３の仕切壁３ａと中間部材４の隔壁４ａとの間のスピン流路Ｐ2を、この中間部材４の隔壁４ａに形成したスピン溝４ｇ2で形作ることができるので、ノズルチップ３をヘッド本体２にセットする際、位置合わせを行う必要がなくなるため有効である。
【００３５】
なお、図５(b)は、本発明に従う中間部材４の第２の形態である。同形態のスピン溝４ｇ2は、同図に示すように、軸線ＯX周りを凹溝４ｇ3に向かって湾曲しながら傾斜してなる。
【００３６】
また、図５(c)は、本発明に従う中間部材４の第３の形態であり、図５(b)に示す第２の形態の変形例である。同形態のスピン溝４ｇ2は、同図に示すように、軸線ＯX周りを凹溝４ｇ3に向かって湾曲しながら傾斜してなる。
【００３７】
上述したところは、本発明の一形態を示したに過ぎず、特許請求の範囲内において、種々の変更を加えることができる。例えば、上述の形態は、ポンプユニットと共に構成されているが、本発明に従えば、噴出ヘッド単独に構成することができる。
【産業上の利用可能性】
【００３８】
本発明は、例えば、化粧水、整髪料等の化粧品、虫除け等の医薬品及び、美容・健康用品の分野に係る液体噴出器として採用することができる。
【符号の説明】
【００３９】
１    噴霧ヘッド（噴出ヘッド）
２    ヘッド本体
２ａ  仕切壁
２ｂ  隆起部
２ｃ  突起部
２ｎ  嵌合凹部
２ｐ  内部通路
３    ノズルチップ
３ａ  仕切壁
３ｂ  周壁
４    中間部材
４ａ  隔壁
４ｂ  周壁
４ｇ1 条溝（流入溝）
４ｇ2 条溝（スピン溝）
４ｇ3 凹部
４ｇ4 環状溝
４ｎ  凹部（充填空間）
Ａ1   連通孔（流入孔）
Ａ2   貫通孔
Ａ3   開孔
Ｐ1   流路（流入路）
Ｐ2   流路（スピン流路）
Ｐ3   合流路
Ｐ4   環状流路
Ｓ    ステム
Ｓp   内部通路
Ｕ    ポンプユニット
Ｕ1   吸引チューブ
Ｕ2   シリンダ
Ｕ3   装着筒
【図１】
0005419753.tif 000002
【図２】
0005419753.tif 000003
【図３】
0005419753.tif 000004
【図４】
0005419753.tif 000005
【図５】
0005419753.tif 000006